(57)【要約】【課題】異なる厚さによって打撃中心点が拡大されると共に、優れた打撃効果がを得られるゴルフヘッドのフェースを提供する。【解決手段】内側が撃球フェース（２）の背面（２０）であると共に、外側が平滑な表面であり、撃球フェース（２）とゴルフヘッド（１）との連接部分がエッジ（３）であるゴルフヘッドのフェースであって、撃球フェース（２）の背面（２０）に異なる厚さが設けられることを特徴とする。【選択図】  図１
2004275376.tif 000002
【特許請求の範囲】
【請求項１】
内側が撃球フェース（２）の背面（２０）であると共に、外側が平滑な表面であり、撃球フェース（２）とゴルフヘッド（１）との連接部分がエッジ（３）であるゴルフヘッドのフェースであって、
撃球フェース（２）の背面（２０）に異なる厚さが設けられることを特徴とするゴルフヘッドのフェース。
【請求項２】
背面（２０）の中心点（Ｏ）を通過する直交の直線によって背面（２０）を四つの区域に分けると共に、背面（２０）の中心点（Ｏ）を通過する二本の斜線によって該四つの区域を八つの区域に分け、
中心点（Ｏ）では最大の厚さを有し、直交の直線とエッジ（３）との連接箇所では中心点（Ｏ）より小さくの厚さを有し、二本の斜線とエッジ（３）との連接箇所では最小の厚さを有することを特徴とする請求項１に記載のゴルフヘッドのフェース。
【請求項３】
背面（２０）の中心点（Ｏ）を通過する直交の直線によって背面（２０）を四つの区域に分けると共に、背面（２０）の中心点（Ｏ）を通過する二本の斜線によって該四つの区域を八つの区域に分け、
中心点（Ｏ）では最大の厚さを有し、二本の斜線とエッジ（３）との連接箇所では中心点（Ｏ）より小さくの厚さを有し、直交の直線とエッジ（３）との連接箇所では最小の厚さを有することを特徴とする請求項１に記載のゴルフヘッドのフェース。
【発明の詳細な説明】
【０００１】
【発明の属する技術分野】
本発明は、特に異なる厚さによって打撃中心点が拡大されると共に、優れた打撃効果を得られるゴルフヘッドのフェースに関するものである。
【０００２】
【従来の技術】
ゴルフボールの打撃距離を遠くするため、ゴルフヘッドの製造業者は、フェースとボールを衝撃する際の変形量及びボールに対する反作用力について研究を始めた。
【０００３】
例えば、フェースの中心点によってボールを打撃する場合、フェースの変形量がもっとも大きく、そのボールに対する反作用力が大きいので、ゴルフボールの打撃距離が一番遠くなることが判った。このフェースの製造方法について、例えば、台湾特許公告第４９４００１号「ゴルフヘッドのフェースの製造方法」に記載された。
【０００４】
【発明が解決しようとする課題】
しかしながら、フェースの中心点によってボールを打撃する技術は、プロがいつでも達成することができなく、もちろん初心者によって無理なことであり、従って、いかに初心者でもボールを一番遠い距離まで打撃することができるフェースを開発することは、いまゴルフヘッドの製造業者の研究方向になる。
【０００５】
そこで、案出されたのが本発明であって、異なる厚さによって打撃中心点が拡大されると共に、優れた打撃効果を得られるゴルフヘッドのフェースを提供することを目的としている。
【０００６】
【課題を解決するための手段】
本願の請求項１の発明は、内側が撃球フェース（２）の背面（２０）であると共に、外側が平滑な表面であり、撃球フェース（２）とゴルフヘッド（１）との連接部分がエッジ（３）であるゴルフヘッドのフェースであって、撃球フェース（２）の背面（２０）に異なる厚さが設けられることを特徴とするゴルフヘッドのフェース及び、
本願の請求項２の発明は、背面（２０）の中心点（Ｏ）を通過する直交の直線によって背面（２０）を四つの区域に分けると共に、背面（２０）の中心点（Ｏ）を通過する二本の斜線によって該四つの区域を八つの区域に分け、中心点（Ｏ）では最大の厚さを有し、直交の直線とエッジ（３）との連接箇所では中心点（Ｏ）より小さくの厚さを有し、二本の斜線とエッジ（３）との連接箇所では最小の厚さを有することを特徴とする請求項１に記載のゴルフヘッドのフェース及び、
本願の請求項３の発明は、背面（２０）の中心点（Ｏ）を通過する直交の直線によって背面（２０）を四つの区域に分けると共に、背面（２０）の中心点（Ｏ）を通過する二本の斜線によって該四つの区域を八つの区域に分け、中心点（Ｏ）では最大の厚さを有し、二本の斜線とエッジ（３）との連接箇所では中心点（Ｏ）より小さくの厚さを有し、直交の直線とエッジ（３）との連接箇所では最小の厚さを有することを特徴とする請求項１に記載のゴルフヘッドのフェース、
を提供する。
【０００７】
【作用】
本発明は上記の課題を解決するものであり、異なる厚さを有するフェースにより、中心点の以外、中心点からエッジ゛まで半分の距離の範囲内によってボールを打撃しても、中心点と等しい打撃効果が得られるので、一番優れた打撃箇所は中心点という点から面まで拡大することができる。
【０００８】
【発明の実施の形態】
以下、添付図面を参照して本発明の好適な実施の形態を詳細に説明する。勿論、下記実施例は、本発明の好適な実施の形態を示したものにすぎず、本発明の技術的範囲は、下記実施例そのものに何ら限定されるものではない。
【０００９】
図１は本発明に係わるゴルフヘッドのフェースの斜視図であり、図２は本発明に係わるゴルフヘッドのフェースの平面図であり、図３Ａは本発明の図２のＡ−Ａ線断面図であり、図３Ｂは本発明の図２のＢ−Ｂ線断面図であり、図３Ｃは本発明の図２のＣ−Ｃ線断面図であり、図４は本発明の図３Ｃの一部拡大断面図であり、図５は本発明に係わるゴルフヘッドのフェースによってボールを打撃する箇所を示す平面図であり、図６は本発明に係わるゴルフヘッドのフェースの使用状態を示す一部断面図であり、図７は本発明に係わるゴルフヘッドのフェースの他の実施例を示す平面図である。
【００１０】
図１に示すように、本発明に係わるゴルフヘッドのフェースは、ゴルフヘッド（１）の一側に設置するものであり、この内側が撃球フェース（２）の背面（２０）であると共に、外側が平滑な表面であり、撃球フェース（２）とゴルフヘッド（１）との連接部分がエッジ（３）である。
【００１１】
図２に示すように、背面（２０）の中心点（Ｏ）を通過する直交の直線によって背面（２０）を四つの区域に分けると共に、背面（２０）の中心点（Ｏ）を通過する二本の斜線によって該四つの区域を八つの区域に分ける。
【００１２】
尚、図３Ａ乃至図３Ｃ、及び図４に示すように、本発明に係わる撃球フェース（２）の背面（２０）の中心点（Ｏ）は最大の厚さ（例えば、３ｍｍ）を有すると共に、背面（２０）のエッジ（３）は等しい厚さ（例えば、２．８ｍｍ）を有し、上記の直交の直線とエッジ（３）との連接箇所はエッジ（３）と等しい厚さを有すると共に、上記の二本の斜線とエッジ（３）との連接箇所は最小の厚さ（例えば、２ｍｍ）を有する。
【００１３】
又、図２及び図７に示すように、本発明に係わる撃球フェース（２）の中心点（Ｏ）では最大の厚さを有し、直交の直線とエッジ（３）との連接箇所では中心点（Ｏ）より小さい厚さを有し、二本の斜線とエッジ（３）との連接箇所では最小の厚さを有するが、この逆に、撃球フェース（２）の中心点（Ｏ）では最大の厚さを有し、二本の斜線とエッジ（３）との連接箇所では中心点（Ｏ）より小さい厚さを有し、直交の直線とエッジ（３）との連接箇所では最小の厚さを有してもよい。これにより、撃球フェース（２）の厚さは中心点（Ｏ）からエッジ（３）まで徐々に小さくなるので、本発明に係わるゴルフのへースは異なる厚さを有する。
【００１４】
図５及び図６に示すように、使用者は中心点（Ｏ）以外の区域によってボールを打撃する場合、若し撃球点が中心点（Ｏ）と近ければ、この撃球点の厚さが中心点（Ｏ）より小さいと共に、エッジ（３）より大きいので、この異なる厚さによってボールに対する反作用力が中心点（Ｏ）と等しい。例えば、Ｐ点によってボールを打撃する場合、Ｐ点は中心点（Ｏ）よりＱ点と近いと共に、ボールに対する反作用力が中心点（Ｏ）より小さくなるはずが、エッジ（３）におけるＲ点の厚さがＰ点より小さいので、ボールに対する反作用力が中心点（Ｏ）と等しいことが達成できる。
【００１５】
本発明に係わるゴルフヘッドのフェースによれば、中心点（Ｏ）の以外、中心点（Ｏ）からエッジ（３）まで半分の距離の範囲内によってボールを打撃しても、中心点（Ｏ）と等しい打撃効果が得られるので、一番優れた打撃箇所は中心点（Ｏ）という点から面まで拡大することができ、従って、初心者でも簡単にボールを遠い場所まで打撃することができる。
【００１６】
【発明の効果】
本発明は上記の構成を有するので、異なる厚さを有するフェースにより、中心点の以外、中心点からエッジまで半分の距離の範囲内によってボールを打撃しても、中心点と等しい打撃効果が得られるので、一番優れた打撃箇所は中心点という点から面まで拡大することができる。
【図面の簡単な説明】
【図１】本発明に係わるゴルフヘッドのフェースの斜視図である。
【図２】本発明に係わるゴルフヘッドのフェースの平面図である。
【図３Ａ】本発明の図２のＡ−Ａ線断面図である。
【図３Ｂ】本発明の図２のＢ−Ｂ線断面図である。
【図３Ｃ】本発明の図２のＣ−Ｃ線断面図である。
【図４】本発明の図３Ｃの一部拡大断面図である。
【図５】本発明に係わるゴルフヘッドのフェースによってボールを打撃する箇所を示す平面図である。
【図６】本発明に係わるゴルフヘッドのフェースの使用状態を示す一部断面図である。
【図７】本発明に係わるゴルフヘッドのフェースの他の実施例を示す平面図である。
【符号の説明】
１          ゴルフヘッド
２          撃球フェース
２０        背面
３          エッジ
Ｏ          中心点
【図１】
2004275376.tif 000003
【図２】
2004275376.tif 000004
【図３Ａ】
2004275376.tif 000005
【図３Ｂ】
2004275376.tif 000006
【図３Ｃ】
2004275376.tif 000007
【図４】
2004275376.tif 000008
【図５】
2004275376.tif 000009
【図６】
2004275376.tif 000010
【図７】
2004275376.tif 000011